(57)【要約】【課題】それぞれの電気部品を一箇所に集中配設して配線材料のコスト低減や組み立て作業を効率化するとともに、使用者の温度調節装置の目視や操作をし易くして使い勝手を向上し、庫内灯の照明効果を損なわず、ドアスイッチの扉開閉検出動作も確実におこなうことができる冷蔵庫を提供する。【解決手段】外箱２内に断熱材13を介して設けられた貯蔵室４と、この貯蔵室の前面開口を閉塞するように回動自在に設けられた扉７とを有し、前記貯蔵室を形成する内箱３の開口部近傍の内側壁に断熱材側に凹陥する収納部15を形成し、前記収納部内に貯蔵室内の冷却温度を調節する温度調節装置17、18と貯蔵室内を照明する庫内灯19、前記扉の開閉を検知して動作し前記庫内灯を点灯あるいは消灯させるドアスイッチ20、および前記各電気部品を取り付けた単一の回路基板16を収納したパネル部を設けたことを特徴とする。【選択図】  図２
2008089244.tif 000002
【特許請求の範囲】
【請求項１】
外箱内に断熱材を介して設けられた貯蔵室とこの貯蔵室の前面開口を閉塞するように回動自在に設けられた扉とを有し、前記貯蔵室を形成する内箱の開口部近傍の内側壁に断熱材側に凹陥する収納部を形成し、前記収納部内に貯蔵室内の冷却温度を調節する温度調節装置と貯蔵室内を照明する庫内灯、前記扉の開閉を検知して動作し前記庫内灯を点灯あるいは消灯させるドアスイッチ、および前記各電気部品を取り付けた単一の回路基板を収納したパネル部を設けたことを特徴とする冷蔵庫。
【請求項２】
庫内灯を発光ダイオードとし、ドアスイッチをリードスイッチとしたことを特徴とする請求項１記載の冷蔵庫。
【請求項３】
収納部に収納した各電気部品の室内側の先端は内箱壁面とほぼ同一面になるように設置したことを特徴とする請求項１記載の冷蔵庫。
【発明の詳細な説明】
【技術分野】
【０００１】
本発明は、冷蔵庫に係り、特に貯蔵室を形成する内箱の内側壁に庫内灯や温度調節装置あるいは扉開閉検知スイッチを配置した冷蔵庫に関する。
【背景技術】
【０００２】
小形冷蔵庫における庫内灯や操作ノブを有する温度調節装置（57）は、従来、図４に示すように、比較的容積の大きな貯蔵室である冷蔵室（54）の背面部、例えば、背面に配置した循環冷気を室内に吹き出す冷気ダクト（55）の前面に配設しており、また、冷蔵室（54）の開口を閉塞する扉の開閉を検知して庫内灯を点灯制御するドアスイッチ（60）は、冷蔵室（54）の開口部における仕切板（52）の前面部に配置していた。
【０００３】
したがって、使用者において、温度調節などの操作をおこなう場合には、冷蔵室内奥方の設置部分まで手を伸ばさなければならないとともに、冷蔵庫自体が比較的小型で高さが低いことから、操作表示部を目視し難いばかりでなく操作のためには姿勢を屈めねばならず、使い勝手が悪いものであった。また、前記温度調節装置（57）など種々の電気部品が冷気ダクト（55）部分に設置されていることから、図５に示すように、ダクト（55）内における冷気の流通部分に設置部品野一部（57′）が突出することになり、冷気の流れを阻害する弊害があった。
【０００４】
一方、冷蔵庫における内箱の内側面に温度調節装置を埋設するようにして、楽な姿勢で庫内温度の調節が可能で操作部を目視し易くした構成が特許文献１に示されている。
【特許文献１】特開平１０−４７８４０号公報
【発明の開示】
【発明が解決しようとする課題】
【０００５】
しかしながら、前記特許文献１に示された構成は温度調節装置の配設構成であって、冷蔵室内を照明する庫内灯やこの庫内灯を制御するドアスイッチについては触れられておらず、従来における通常の構成であれば、庫内灯は貯蔵室の背面、若しくは室内の天井部に設置され、ドアスイッチは貯蔵室の側面や開口部前面に設置されているものである。
【０００６】
したがって、温度調節装置や庫内灯、およびドアスイッチなどそれぞれの電気部品の設置場所が離間していることから配線の長さが長くなり、同時に部品数が増えて組み立て作業時における配設処理が煩雑になることでコスト高になるものであった。
【０００７】
本発明は上記の点を考慮してなされたもので、それぞれの電気部品を一箇所に集中配設して配線材料のコスト低減や組み立て作業を効率化するとともに、使用者の温度調節装置の目視や操作をし易くして使い勝手を向上し、庫内灯の照明効果を損なわず、ドアスイッチの扉開閉検出動作も確実におこなうことができる冷蔵庫を提供することを目的とする。
【課題を解決するための手段】
【０００８】
上記課題を解決するために、本発明による冷蔵庫は、外箱内に断熱材を介して設けられた貯蔵室とこの貯蔵室の前面開口を閉塞するように回動自在に設けられた扉とを有し、前記貯蔵室を形成する内箱の開口部近傍の内側壁に断熱材側に凹陥する収納部を形成し、前記収納部内に貯蔵室内の冷却温度を調節する温度調節装置と貯蔵室内を照明する庫内灯、前記扉の開閉を検知して動作し前記庫内灯を点灯あるいは消灯させるドアスイッチ、および前記各電気部品を取り付けた単一の回路基板を収納設置したことを特徴とするものである。
【発明の効果】
【０００９】
本発明によれば、電気部品の配線材料を少なくし、組み立て作業を効率化して製造コストを低減できるとともに、使用者の温度調節装置の目視や操作をし易くして使い勝手を向上し、庫内灯の照明効果を損なわず、ドアスイッチの扉開閉検出動作も確実におこなうことができる。
【発明を実施するための最良の形態】
【００１０】
以下、図面に基づき本発明の１実施形態について説明する。図１に開扉状態の外観斜視図を示す小形冷蔵庫の本体（１）は、外箱（２）と内箱（３）間に断熱材を介在させた断熱箱体からなり、上部に冷蔵食品を収納貯蔵する冷蔵室（４）を設け、その下部に冷凍室（５）を配置している。
【００１１】
冷蔵室（４）は、本体内の背面に設けた冷却器で生成した冷気を、ファンによって庫内に導入し冷却する周知の構成であり、前記冷凍室（５）に対して比較的大きな収納スペースを保有し、その前面開口には、本体一側に設けたヒンジ（６）によって開閉可能とした扉（７）を取り付けている。なお、冷凍室（５）は、扉に取り付けた容器を扉とともに前後方向に摺動自在に引き出すようにした引出し扉方式としている。
【００１２】
前記冷蔵室の扉（７）は、要部の横断面図である図２に示すように、塗装された薄鋼板からなる扉面材（８）および断熱材を介して冷蔵室内側に設けた扉内板（９）とからなり、周縁部には本体側に吸着して開口部を閉塞するガスケット（10）を取着することで断熱体を構成している。
【００１３】
前記扉内板（９）は、その両側に上下に亙って室内側に突出するビード（９ａ）を立設している。このビード（９ａ）は、前記扉（７）を閉じた際には、本体開口部近傍の内箱前縁部（３ａ）に近接し、この内箱前縁部（３ａ）との間に庫内外間の熱漏洩を抑制する幅狭のスロート部（27）を形成するものであり、両側のビード（９ａ）間には柵状あるいは容器状のポケット部材（11）を嵌合させることでペットボトルや調味料などの貯蔵品の収納部を形成している。
【００１４】
しかして、前記冷蔵室扉（７）の反枢支側における内箱（３）側壁の前面開口部に近い部位にはパネル部（12）が形成されている。このパネル部（12）は、前記内箱（３）の側壁に形成した開口（３ｂ）に断熱材（13）側へ凹陥する収納ケース（14）を固着して形成した収納凹部（15）に設けられているものであって、この収納凹部（15）には、図３の概略分解斜視図に示すように、一枚の回路基板（16）を固定ボス（15ａ）に対してネジ止めすることで配設し、この回路基板（16）上に貯蔵室内の冷却温度を調節する温度調節装置であるロータリースイッチ（17）（18）を装着し、その上方における基板（16）上には冷蔵室（４）内を照明する白色の発光ダイオード（ＬＥＤ）からなる庫内灯（19）を装着している。また、ロータリースイッチ（18）の下方には同様にリードスイッチ（20）を配設している。
【００１５】
前記それぞれの電気部品（17）〜（20）を装着した回路基板（16）はその下方端に設けたハウジング（21）によって冷蔵庫本体（１）の背部に設けた電源部に接続されており、前記電気部品の表面は収納部全体を覆う化粧パネル（22）でカバーするとともに表示銘板（23）を貼り付け、前記ロータリースイッチ（17）（18）の先端にはこれを回動操作するノブ（24）をそれぞれ取り付けている。なお、前記化粧パネル（22）は、収納ケース（14）の側面に設けた係合凹部（14ａ）に対してその対応箇所に突設した係止爪（22ａ）を係合させることで着脱自在に固定している。
【００１６】
また庫内灯（19）は、従来のように内箱天井面、あるいは内箱背面に設置された構成ではないが、冷蔵室（４）の前面開口部の近傍に設けられていることから、開扉の際は冷蔵室（４）の一側面の前方部分から発光することになり、室内全体を効果的に照明するとともに、その光源は室内の前部側にあるため逆光とならず、収納されている食品などが使用者の見る方向から照明されることから見易くなる利点がある。
【００１７】
このとき、庫内灯（19）のＬＥＤに対向する化粧パネル（22）の部分には、表面をダイヤカットした導光体（25）を設けることでＬＥＤの光を拡散してより効果的に冷蔵室（４）内を照明することができる。
【００１８】
前記リードスイッチ（20）は、扉（７）の開閉を検知して動作し前記庫内灯（19）を点灯あるいは消灯させるドアスイッチを構成するものであって、前記扉（７）を閉じた際に開放側の扉内側（９）のビード（９ａ）にスロート部（27）を介して重なり合うように配置させており、前記ビード（９ａ）のスロート部（27）側の内面には、リードスイッチ（20）に近接対向するマグネット（26）を固着させることで、閉扉時には近接するマグネット（26）によりリードスイッチ（20）の接点を非接触で動作させて庫内灯（19）を消灯し、開扉時には点灯させるように制御するものであり、摩耗や経時的な変形が少ないことから扉開閉検出動作も確実におこなうことができる。
【００１９】
このとき、前記収納凹部（15）に収納した各電気部品（17）〜（20）は、基板（16）上における高さ寸法がそれぞれ小さいものであることから、部品先端が内箱（３）の壁面から冷蔵室（４）内に突出しないように収納凹部（15）の深さを調整し、内箱（３）壁面とほぼ同一面になるように設置する。このように形成することで、食品の収納や取り出しに突起物が支障になることを防ぎ、冷蔵室（４）内における実質的収納容積を減らすことがないようにしている。
【００２０】
以上のように構成することで、従来は内箱天井部や内箱側壁、あるいは本体前面の仕切り板部などにそれぞれ離間して設置されていた温度調節装置（17）（18）や庫内灯（19）、ドアスイッチ（20）などの電気部品を一箇所に集中して配設することができ、しかもこれら電気部品を一枚の回路基板（16）にまとめて装着するようにしたので、回路基板自体が単体となり、また回路基板（16）を固定する部材や収納部品も単一でよいことからコストダウンできるとともに、電気配線を短くすることができ、配線作業も一箇所に集中するので効率化することができ、製造コストの低減に寄与できるものである。
【００２１】
そして、これらを内箱（３）の開口部近傍の内側壁に形成した収納凹部（15）に収納配設していることから、使用者にとって操作表示部が見易くなるとともに、操作のために姿勢を屈めることなく温度調節などの操作を近い位置で容易におこなうことができるため、格段に使い勝手を向上できるものである。
【００２２】
また、冷蔵室（４）背面に設けられている図示しない冷気ダクト部分には、前記種々の電気部品が設置されていないことから、ダクト内における冷気の流通部分に設置部品が突出することがなく、冷気の流れをスムーズにして冷却効率を向上でき、あるいは、従来に比してその分冷気ダクト構成を小形化することで外観を向上させることができる。
【００２３】
なお、上記においては、それぞれの電気部品を小形冷蔵庫における冷蔵室内箱（３）の内側壁に収納する例について説明したが、大形冷蔵庫、あるいは冷蔵室以外の他の貯蔵室にも適用できるものであり、また、温度調節装置（17）（18）をロータリースイッチ（17）（18）として説明したが、これに限らず摺動スイッチや押釦スイッチでもよいことは言うまでもなく、その他庫内灯やドアスイッチなど本発明の趣旨を逸脱しない範囲での変更が可能である。
【図面の簡単な説明】
【００２４】
【図１】本発明における冷蔵庫の冷蔵室扉の開扉状態を示す斜視図である。
【図２】図１におけるパネル部の閉扉状態での拡大横断面図である。
【図３】図１におけるパネル部の分解斜視図である。
【図４】従来の冷蔵庫の扉を除いた概略斜視図である。
【図５】図４の冷気ダクト部の横断面図である。
【符号の説明】
【００２５】
１  冷蔵庫本体            ３  内箱                  ３ａ  内箱前縁部
４  冷蔵室                ７  冷蔵室扉              ９  扉内板
９ａ  ビード              11  ポケット              12  パネル部
14  収納ケース            15  収納凹部                16  回路基板
17、18  ロータリースイッチ                          19  庫内灯
20  リードスイッチ        22  化粧パネル            23  表示銘板
24  ノブ                  25  導光体                26  マグネット
27  スロート部
【図１】
2008089244.tif 000003
【図２】
2008089244.tif 000004
【図３】
2008089244.tif 000005
【図４】
2008089244.tif 000006
【図５】
2008089244.tif 000007